(57)【特許請求の範囲】
【請求項１】
取付用レール（１）に対して交叉する方向に配置され、かつ、互いに対向して設けられた両側壁部（２３）の縁部（２３ａ）に、前記取付用レール（１）の両側鍔部（１ａ）に係合する爪部（２１）を形成した内側枠体（２０）と、この内側枠体（２０）の外側に重ねて組み付けられ、前記取付用レール（１）に対して所定位置に案内する案内溝（３３）を両側壁部の縁部に形成した外側枠体（３０）とで構成され、前記内側枠体（２０）と外側枠体（３０）を締結具を介して締結することによって、前記外側枠体（３０）に取り付けられた被取付物を前記取付用レール（１）に取り付ける取付金具において、
前記内側枠体（２０）の爪部（２１）を形成した係合溝（２４）に、爪部（２１）との間に開口部に向けて一定角度で徐々に広がる方向のテーパ部（２４ｃ）を下側爪部（２１）を形成した凹部（２４ａ）壁面に形成し、
前記案内溝（３３）よりも上方の前記外側枠体（３０）の内壁面に、下方側に向けて斜面になるように一定角度で延出して、前記内側枠体（２０）の長手方向の一端を係止する係止部（３４）を設け、かつ、内側枠体（２０）の長手方向の他端部を固定する締結具を装着し、前記外側枠体（３０）の係止部に前記内側枠体（２０）の一端を係止させた状態で、前記締結具で前記内側枠体（２０）と外側枠体（３０）を締め付けて、
前記取付用レール（１）の下側鍔部（１ａ）を前記テーパ部（２４ｃ）によって上方に押し上げる力を作用させて前記一端を支点として前記内側枠体（２０）の他端部を下方向に下げながら前記外側枠体（３０）側に引き寄せて、
前記内側枠体（２０）の爪部と前記外側枠体（３０）の案内溝（３３）の底辺（３３ａ）とによって前記取付用レール（１）の両側鍔部（１ａ）を挟持し、
かつ前記案内溝（３３）の底辺（３３ａ）の斜面（３３ｂ）によって、前記取付用レール（１）の幅方向中心位置と前記案内溝（３３）の長手方向中心位置が一致するように移動させながら位置決めするように構成した
ことを特徴とする被取付物を取付用レールに取り付けるための取付金具。
【請求項２】
前記係止部（３４）は、前記外側枠体（３０）の壁面の一部を切り起こすことで成形したことを特徴とする請求項１に記載の被取付物を取付用レールに取り付けるための取付金具。
【請求項３】
前記係止部（３４）は、前記内側枠体（２０）に向けて鋭角の斜面をなすように一定角度で延出させて形成したことを特徴とする請求項２に記載の被取付物を取付用レールに取り付けるための取付金具。
【発明の詳細な説明】
【技術分野】
【０００１】
本発明は、モータ制御装置等の電気機器をＤＩＮレール等の取付用レールに取り付けるための取付金具に関する。
【背景技術】
【０００２】
一般に、ＦＡ機器、生産設備などに電力を供給し制御するための多数の電気機器を金属筐体内に取り付けた制御盤の内部では、いわゆるＤＩＮレールと言われる取付用レールを用いて電気機器を取り付ける場合が多い。ＤＩＮレールは、ドイツの工業規格で寸法が定められているレールで、世界的な規格となっているものである。
【０００３】
従来、この種の取付用レールに電気機器を取り付ける場合、係合爪を形成した取付金具をレールに組付け、取付金具に装着したネジをレールに押し当てて取付金具をレールに取り付けた先行技術（特許文献１）が知られている。
また、係合爪を形成した取付金具をレールに組付け、取付金具に装着した2本のネジをレールの鍔部にそれぞれ押し当てて係合爪とネジの間でレールの鍔部を挟持してレールに取り付けた先行技術（特許文献２）が知られている。
さらに、係合爪を形成した本体金具をレールに組付け、この本体金具の外側に案内溝を形成した固定金具を組み付け、本体金具と固定金具を１本のネジで締め付けることにより、本体金具の係合爪と、固定金具の案内溝との間でレールを挟持して取付金具を固定する先行技術（特許文献３）が知られている。
【特許文献１】実公昭５５−４６９８３号公報
【特許文献２】実開平１−７９２７８号公報
【特許文献３】特開２００３−６５３０６号公報
【発明の開示】
【発明が解決しようとする課題】
【０００４】
しかしながら、特許文献１の場合、締付用のネジをレールに押し当てて取付金具を固定しているため、まず取付金具を単体でレールに取り付け、その後に被取付物を取付金具に取り付けなければならない。これは、先に被取付物を取付金具に取り付けてしまうと、被取付物が取付金具のねじ体を覆ってしまい、レールに取り付けることができなくなってしまうためである。このように、取付金具を単体でレールに取り付けた後に、該取付金具に被取付物を取り付けるのは作業性が悪いという問題がある。
また、特許文献２の場合、２本のネジがレール両端の鍔部上に位置する構造だと次のような問題がある。
すなわち、２本のネジを均等の締め付けトルクで締付しなければならないことや、被取付物が取付金具に比して大きい場合は、２つの取付金具で挟み込むように固定しなければならず、その場合は４本のネジを均等の締め付けトルクで締付しなければならないという問題がある。
さらに、特許文献３の場合、電気機器を取り付けるためのナットを本体金具と固定金具の間に別途組み付けなければならず、部品点数の増大を来たすことになる。この場合も本体金具と固定金具を止めるネジは、電気機器で覆われる位置に設けられているため、取付金具を単体でレールに取り付けた後に電気機器を取付金具に取り付けなければならなかった。
【０００５】
本発明は、上記課題を解決し、被取付物を取付金具に取り付けた状態で取付用レールに取り付けることができるとともに、１つの締結具で簡単に着脱可能である被取付物を取付用レールに取り付けるための取付金具を提供することを目的とする。
【課題を解決するための手段】
【０００６】
本発明は、上記課題を解決するため、取付用レール（１）に対して交叉する方向に配置され、かつ、互いに対向して設けられた両側壁部（２３）の縁部（２３ａ）に、前記取付用レール（１）の両側鍔部（１ａ）に係合する爪部（２１）を形成した内側枠体（２０）と、この内側枠体（２０）の外側に重ねて組み付けられ、前記取付用レール（１）に対して所定位置に案内する案内溝（３３）を両側壁部の縁部に形成した外側枠体（３０）とで構成され、前記内側枠体（２０）と外側枠体（３０）を締結具を介して締結することによって、前記外側枠体（３０）に取り付けられた被取付物を前記取付用レール（１）に取り付ける取付金具において、前記内側枠体（２０）の爪部（２１）を形成した係合溝（２４）に、爪部（２１）との間に開口部に向けて一定角度で徐々に広がる方向のテーパ部（２４ｃ）を下側爪部（２１）を形成した凹部（２４ａ）壁面に形成し、前記案内溝（３３）よりも上方の前記外側枠体（３０）の内壁面に、下方側に向けて斜面になるように一定角度で延出して、前記内側枠体（２０）の長手方向の一端を係止する係止部（３４）を設け、かつ、内側枠体（２０）の長手方向の他端部を固定する締結具を装着し、前記外側枠体（３０）の係止部に前記内側枠体（２０）の一端を係止させた状態で、前記締結具で前記内側枠体（２０）と外側枠体（３０）を締め付けて、前記取付用レール（１）の下側鍔部（１ａ）を前記テーパ部（２４ｃ）によって上方に押し上げる力を作用させて前記一端を支点として前記内側枠体（２０）の他端部を下方向に下げながら前記外側枠体（３０）側に引き寄せて、前記内側枠体（２０）の爪部と前記外側枠体（３０）の案内溝（３３）の底辺（３３ａ）とによって前記取付用レール（１）の両側鍔部（１ａ）を挟持し、かつ前記案内溝（３３）の底辺（３３ａ）の斜面（３３ｂ）によって、前記取付用レール（１）の幅方向中心位置と前記案内溝（３３）の長手方向中心位置が一致するように移動させながら位置決めするように構成したことにある。
また、本発明は、前記係止部（３４）は、前記外側枠体（３０）の壁面の一部を切り起こすことで成形したことにある。
さらに、本発明は、前記係止部（３４）は、前記内側枠体（２０）に向けて鋭角の斜面をなすように一定角度で延出させて形成したことにある。
【発明の効果】
【０００７】
本発明によれば、次のような効果を奏することができる。
請求項1によれば、被取付物を金具に取り付けた状態で取付用レールに取り付けることができるとともに、１つの締結具で簡単に着脱可能である。また、１つの締結具での取付であっても、充分な締付力を得ることができる。すなわち、取付用レールの両側の鍔部を同じ力で締付けることができるので、外れる虞がない。
請求項２の発明によれば、取付金具の係止部の作製が容易である。
請求項３の発明によれば、取付用レールの両側の鍔部を、均等の締め付け力で固定することができる。
【発明を実施するための最良の形態】
【０００８】
以下、図示の実施の形態を図面を参照しながら、詳細に説明する。
図１は取付用レールに取り付けた状態の取付金具を示す斜視図、図２は図１の分解斜視図である。図３（ａ）（ｂ）（ｃ）は、取付用レールに取り付ける手順を示す側面図である。
【０００９】
図１ないし図３において、１はＤＩＮレール等の取付用レールであり、この取付用レール１に取付金具２を介して電気機器等の被取付物３が組み付けられる。
【００１０】
取付金具２は、略水平方向に配設された帯状の取付用レール１に対して略直角に交叉する方向に配置され、該取付用レール１の幅方向の両側に設けられた鍔部１ａに組み付けられている。前記取付金具２は、前記取付用レール１の両側鍔部１ａに係合する一対の爪部２１を有する内側枠体２０と、この内側枠体２０の外側に重ねて組み付けられ、前記取付用レール１に対して設定位置に組み付けられる案内溝３１を有する外側枠体３０とで構成されている。
【００１１】
前記内側枠体２０は、長手方向の寸法Ｌ１が、前記取付用レール１の幅寸法Ｌｏよりも長い寸法Ｌ１＞Ｌｏを有する長尺の壁部２２の左右両側に、互いに対向する側壁部２３を有し、これら両側壁部２３の縁部２３ａに、一定長さの係合溝２４が形成され、この係合溝２４の上下両端部に互いに対向するようにして凹部２４ａおよび前記爪部２１が形成されている。この係合溝２４の下側凹部２４ａには、爪部２１との間に開口部２４ｂに向けて一定角度で徐々に広がる方向のテーパ部２４ｃが形成されている。この内側枠体２０の壁部２２には、係合溝２４の下側凹部２４ａよりも下方側に少なくともネジ頭部が入る大きさの複数の孔２５が長手方向に形成されており、これら孔２５より下方側にはネジ孔２６が形成されている。
【００１２】
前記外側枠体３０は、長手方向の寸法Ｌ２が、内側枠体２０の長手方向の寸法Ｌ１よりも長い寸法Ｌ２＞Ｌ１を有する長尺の壁部３１の左右両側に、互いに対向する側壁部３２を有し、これら側壁部３２の縁部３２ａに、前記係合溝２４に対応する位置に案内溝３３が形成されている。この案内溝３３は開口側が幅広の斜面に形成された略台形状の切欠き部で構成されている。前記案内溝３３よりも上方の壁部３１の内面側には、前記内側枠体２０の一端２０ａを係止する係止部３４が設けられている。この係止部３４は壁部３１の一部をコ字形に切り起こして形成したもので、前記内側枠体２０の一端２０ａを係止するように下方側に向けて鋭角の斜面になるように一定角度で延出している。この係止部３４の上方側の壁部３１には、電気機器を取り付けるための複数の取付孔（ネジ孔）３５が形成されている。また、案内溝３３よりも下方側の壁部３１には、同じく電気機器を取り付けるための複数の取付孔（ネジ孔）３６が前記孔２５に対応する位置に形成されている。これら取付孔（ネジ孔）３６よりも、下部側の壁部３１端面には前記ネジ孔２６に対応するネジ孔３７が形成されている。これらネジ孔２６およびネジ孔３７には、締結具としてのネジ４が螺着されて互いに締結されている。
【００１３】
次に、上記取付金具２の取り付け手順を説明する。
まず、電気機器等の被取付物３に取付金具２を組付ける。これは図１に示すように、取付孔（ネジ孔）３５、３６にネジ５を通して被取付物３を固定する（図３（ｃ）参照）。
【００１４】
次に、内側枠体２０の一端を係止部３４に係合させて外側枠体３０に仮止めして組付ける。そして、ネジ４を緩めた状態で取付用レール１の両側鍔部１ａに一対の爪部２１を介して内側枠体２０を引っ掛けて取付用レール１に取付金具２を組付ける（図３（ｂ）参照）。この状態で、ネジ４を締め付けると、前記内側枠体２０の一端２０ａを支点として前記内側枠体２０の他端部２０ｂが前記外側枠体３０側に引き寄せられていく。このとき、前記内側枠体２０の爪部２１と前記外側枠体３０の案内溝３３の底辺３３ａとによって前記取付用レール１の下側鍔部１ａは、下側凹部２４ａのテーパ部２４ｃによって、上方に押し上げる力が作用するので、内側枠体２０は下方向にさがりながら外側枠体３０側に引き寄せられることになる。このとき、外側枠体３０は、案内溝３３の底辺３３ａの両側の斜面３３ｂによって取付用レール１の幅方向中心位置と案内溝３３の長手方向中心位置が一致するように移動しながら位置決めされる。そして、内側枠体２０の一対の爪部２１と前記外側枠体３０の案内溝３３の底辺３３ａとによって前記取付用レール１の両側鍔部１ａが挟持されて、取付金具２が固定される（図３（ａ）参照）。
【００１５】
上記実施の形態によれば、１本のネジ４によって、内側枠体２０と外側枠体３０を締結するので、取付金具２は、内側枠体２０の両側の側壁２３に設けられた一対の爪部２１と、外側枠体３０の両側の側壁部３２に設けられた案内溝３３の底辺３３ａとによって均等に締め付けて固定することができる。前記取付金具２は、ネジ４を締め付けると、前記内側枠体２０の一端２０ａを支点として前記内側枠体２０の他端部２０ｂが前記外側枠体３０側に引き寄せられていくので、取付用レール１の下側鍔部１ａに接触する。
このとき、内側枠体２０は、下側凹部２４ａのテーパ部２４ｃが取付用レール１の下側鍔部１ａに対して下方に下がりながら移動し、上部側の爪部２１が取付用レール１の上部側鍔部１ａに係合して引き付けられる。こうして、取付金具２は両側の側壁部２３に設けられた一対の爪部２１と、外側枠体３０の両側の側壁部３２に設けられた案内溝３３の底辺３３ａとによって均等の力で取付用レール１に組み付けられる。また、予め、電気機器等の被取付物３を取付金具２に組付けることができるので、取付用レール１に対する組付け作業を容易に行なうことができる。特に、取付用レール１が壁面に取り付けられていて、取付用レール１側からのネジ止めが不可能な場合には、予め、電気機器等の被取付物３を取付金具２に組付ける必要があるので、本発明の取付金具２は有効である。
【００１６】
なお、本発明は、上記実施の形態のみに限定されるものではなく、例えば、図４に示すような回路基板６を取り付けた支持体７を取付用レール１に組み付ける場合には、支持体７を予めネジ８によって取付金具２に組み付けておき、この取付金具２を取付用レール１に組付けることで支持体７を組付けることができる。被取付物３が筐体の場合は、外側枠体３０の内面側からネジ止めして被取付物３を組付けることもできる。など、その他、本発明の要旨を変更しない範囲内で適宜、変更して実施し得ることができる。
【図面の簡単な説明】
【００１７】
【図１】本発明の実施の形態による被取付物を取付用レールに取り付けるための取付金具を示す斜視図である。
【図２】図２の分解斜視図である。
【図３】本発明の実施の形態による被取付物を取付用レールに取り付けるための取付金具の組付け手順を示し、（ａ）は取付用レールに取付金具を組み付けた状態を示す概念断面図、（ｂ）は取付用レールに組付ける過程を示す概念断面図、（ｃ）は取付用レールに取り付ける前の取付金具を示す概念断面図である。
【図４】基板に取り付けられた被取付物を取付用レールに取り付けるための取付金具を示す斜視図である。
【符号の説明】
【００１８】
１  取付用レール
２  取付金具
３  被取付物（電気機器）
４，５  ネジ
２０  内側枠体
２１  爪部
２２  壁部
２３  側壁部
２４  係合溝
２４ａ  凹部
２４ｃ  テーパ部
２５  孔
２６  ネジ孔
３０  外側枠体
３１  壁部
３２  側壁部
３３  案内溝
３４  係止部
３５，３６  取付孔（ネジ孔）
３７  ネジ孔
【図１】
0005103271.tif 000002
【図２】
0005103271.tif 000003
【図３】
0005103271.tif 000004
【図４】
0005103271.tif 000005